(57)【要約】【課題】補聴器のマイク部が前方の音声を拾い易く、且つ、補聴器のハウリングが起こりにくい補聴器付き眼鏡を提供すること。【解決手段】本発明は、左右一対のレンズＬを有するフロント部５と、該フロント部５の両側に取り付けられたヒンジ部６と、該ヒンジ部６に取り付けられたテンプル部７と、からなる眼鏡１０に、マイク部２３と、該マイク部２３を支持する本体部２１と、該マイク部２３に拾われた音声を伝える伝達部２４とからなる補聴器２０が、着脱可能となるように取り付けられた補聴器付き眼鏡１００であって、マイク部２３が補聴器２０の前側に位置するように、補聴器２０がテンプル部７の内側に取り付けられている補聴器付き眼鏡１００である。【選択図】図１
2014059544.tif 000002
【特許請求の範囲】
【請求項１】
左右一対のレンズを有するフロント部と、該フロント部の両側に取り付けられたヒンジ部と、該ヒンジ部に取り付けられたテンプル部とを有する眼鏡に、
マイク部と、該マイク部を支持する本体部と、前記マイク部に拾われた音声を伝える伝達部とを有する補聴器が、着脱可能となるように取り付けられた補聴器付き眼鏡であって、
前記マイク部が前記補聴器の前側に位置するように、前記補聴器が前記テンプル部の内側に取り付けられている補聴器付き眼鏡。
【請求項２】
前記補聴器が、前記本体部に取り付けられたＬ字状の引掛部を更に有し、
前記引掛部が前記テンプル部の内側の壁に掛合されている請求項１記載の補聴器付き眼鏡。
【請求項３】
前記テンプル部の内側の壁には、切欠部が設けられており、
前記引掛部が該切欠部に掛合されている請求項２記載の補聴器付き眼鏡。
【請求項４】
前記ヒンジ部の外側には遮音壁部が設けられている請求項１〜３のいずれか１項に記載の補聴器付き眼鏡。
【請求項５】
前記伝達部が、前記本体部に接続されたコードと、該コードの先端に取り付けられ耳に装着されるイヤホンとからなり、
前記テンプル部には、通孔部が設けられており、
前記コードが前記通孔部に挿通されている請求項１〜４のいずれか１項に記載の補聴器付き眼鏡。
【請求項６】
前記伝達部が、使用者の頭部に接触させる骨伝導部からなる請求項１〜４のいずれか１項に記載の補聴器付き眼鏡。
【請求項７】
前記ヒンジ部が、前記フロント部の両側に取り付けられた固定基部と、該固定基部に回動可能となるように取り付けられた弾性基部とからなり、
前記テンプル部が、前記弾性基部の一部を内挿可能な中空部を有する請求項１〜６のいずれか１項に記載の補聴器付き眼鏡。
【請求項８】
前記弾性基部には、上下一対の外突起部が設けられており、
前記テンプル部には、前記弾性基部が前記中空部に内挿された状態で前記外突起部を掛止可能な上下一対の掛止部が設けられている請求項７記載の補聴器付き眼鏡。
【請求項９】
前記固定基部が側面視でＵ字状の線材である請求項７又は８に記載の補聴器付き眼鏡。
【請求項１０】
前記弾性基部が側面視でＵ字状の線材であり、
前記固定基部と前記弾性基部とが上下２カ所で枢着されている請求項７〜９のいずれか１項に記載の補聴器付き眼鏡。
【発明の詳細な説明】
【技術分野】
【０００１】
本発明は、補聴器付き眼鏡に関し、更に詳しくは、補聴器のマイク部が前方の音声を拾い易く、且つ、補聴器のハウリングも起こりにくい補聴器付き眼鏡に関する。
【背景技術】
【０００２】
眼鏡及び補聴器の使用者は、それらの両方を所持し、且つ両方を同時に着用する必要がある。この煩雑さを解消する観点から、近年、補聴器付きの眼鏡が開発されている。
【０００３】
例えば、眼鏡の左右一対のつるのそれぞれにマイクを具備するマイクユニットと骨伝導ユニットとを取り付け、マイクユニットと骨伝導ユニットとを電気接続し、骨伝導ユニットを、つるの中間部に垂設し、使用者の頬骨近傍を軽く押し付けるようにした補聴器具が知られている（例えば、特許文献１参照）。
【０００４】
ところが、上記特許文献１記載の補聴器具は、部品点数が多いので、パーツの着脱が複雑になる欠点がある。また、眼鏡を備える補聴器具であるので、通常の眼鏡の構造を大幅に変更する必要がある。
【０００５】
これに対して、通常の眼鏡に、補聴器を取り付ける補聴器付き眼鏡が開発されている。
例えば、眼鏡の左右一対のつるの内、少なくとも一方のつるの自由端部に凹部を形成し、マイクを内蔵した補聴器本体をその凹部に着脱自在に装着した補聴器付眼鏡が知られている（例えば、特許文献２又は３参照）。かかる補聴器付眼鏡によれば、耳の裏側に補聴器本体が隠れるので、目立ちにくい。
【先行技術文献】
【特許文献】
【０００６】
【特許文献１】特開２００４−２０５８３９号公報
【特許文献２】特開２００６−１６２８７９号公報
【特許文献３】特開２００７−１０８２５４号公報
【発明の概要】
【発明が解決しようとする課題】
【０００７】
しかしながら、上記特許文献２又は３に記載の補聴器付眼鏡は、補聴器が耳の裏側に着いているので、音が聴き取り難いという欠点がある。すなわち、通常、拾うべき音声は、顔を向けている前方のほうなので、耳の裏側にマイク部を内蔵した補聴器があると、前方の音声が拾いにくく、むしろ横方向や後方向からの雑音が拾われてしまうという欠点がある。
また、マイク部とイヤホンが近くに位置することから、ハウリングが起こり易い。
【０００８】
本発明は上記事情に鑑みてなされたものであり、補聴器のマイク部が前方の音声を拾い易く、且つ、補聴器のハウリングも起こりにくい補聴器付き眼鏡を提供することを目的とする。
【課題を解決するための手段】
【０００９】
本発明者は、上記課題を解決するため鋭意検討したところ、マイク部が前側に位置するように、補聴器をテンプル部の内側に取り付けることにより、意外にも、上記問題点を解決できることを見出し、本発明を完成させるに至った。
【００１０】
本発明は、（１）左右一対のレンズを有するフロント部と、該フロント部の両側に取り付けられたヒンジ部と、該ヒンジ部に取り付けられたテンプル部とを有する眼鏡に、マイク部と、該マイク部を支持する本体部と、マイク部に拾われた音声を伝える伝達部とを有する補聴器が、着脱可能となるように取り付けられた補聴器付き眼鏡であって、マイク部が補聴器の前側に位置するように、補聴器がテンプル部の内側に取り付けられている補聴器付き眼鏡に存する。
【００１１】
本発明は、（２）補聴器が、本体部に取り付けられたＬ字状の引掛部を更に有し、引掛部がテンプル部の内側の壁に掛合されている上記（１）記載の補聴器付き眼鏡に存する。
【００１２】
本発明は、（３）テンプル部の内側の壁には、切欠部が設けられており、引掛部が該切欠部に掛合されている上記（２）記載の補聴器付き眼鏡に存する。
【００１３】
本発明は、（４）ヒンジ部の外側には遮音壁部が設けられている上記（１）〜（３）のいずれか１つに記載の補聴器付き眼鏡に存する。
【００１４】
本発明は、（５）伝達部が、本体部に接続されたコードと、該コードの先端に取り付けられ耳に装着されるイヤホンとからなり、テンプル部には、通孔部が設けられており、コードが通孔部に挿通されている上記（１）〜（４）のいずれか１つに記載の補聴器付き眼鏡に存する。
【００１５】
本発明は、（６）伝達部が、使用者の頭部に接触させる骨伝導部からなる上記（１）〜（４）のいずれか１つに記載の補聴器付き眼鏡に存する。
【００１６】
本発明は、（７）ヒンジ部が、フロント部の両側に取り付けられた固定基部と、該固定基部に回動可能となるように取り付けられた弾性基部とからなり、テンプル部が、弾性基部の一部を内挿可能な中空部を有する上記（１）〜（６）のいずれか１つに記載の補聴器付き眼鏡に存する。
【００１７】
本発明は、（８）弾性基部には、上下一対の外突起部が設けられており、テンプル部には、弾性基部が中空部に内挿された状態で外突起部を掛止可能な上下一対の掛止部が設けられている上記（７）記載の補聴器付き眼鏡に存する。
【００１８】
本発明は、（９）固定基部が側面視でＵ字状の線材である上記（７）又は（８）に記載の補聴器付き眼鏡に存する。
【００１９】
本発明は、（１０）弾性基部が側面視でＵ字状の線材であり、固定基部と弾性基部とが上下２カ所で枢着されている上記（７）〜（９）のいずれか１つに記載の補聴器付き眼鏡に存する。
【発明の効果】
【００２０】
本発明の補聴器付き眼鏡においては、フロント部と、ヒンジ部と、テンプル部と、からなる眼鏡が用いられる。このため、補聴器を取り付けない場合は、通常の眼鏡として用いることができる。
また、補聴器のマイク部が前側に位置しているので、聴きたい音の方向に顔を向けることにより、前方の音声を効率良く拾うことができる。
さらに、補聴器がテンプル部の内側に取り付けられているので、横方向からの雑音を排除することができると共に、補聴器を目立ち難くすることができる。
さらにまた、マイク部を物理的に前側に位置させることで、伝達部から一定距離離れることになり、ハウリングが起こり難い。
また、会話の際に、相手の口元を見ながら会話できることで、会話の聞き取り向上にも役立つ。
したがって、本発明の補聴器付き眼鏡によれば、補聴器のマイク部が前方の音声を拾い易く、且つ、補聴器のハウリングを起こりにくくすることができる。
【００２１】
本発明の補聴器付き眼鏡においては、補聴器の引掛部が、テンプル部の内側の壁に掛合されている場合、補聴器の着脱が容易となる。このため、眼鏡の洗浄や眼鏡、補聴器の修理がしやすい。
これに加え、テンプル部の内側の壁に切欠部が設けられている場合、軽量化が図られると共に、引掛部を該切欠部に掛合することにより、より簡単にワンタッチで補聴器を着脱することが可能となる。
【００２２】
本発明の補聴器付き眼鏡においては、ヒンジ部の外側に遮音壁部が設けられている場合、横方向からの雑音をより排除することができる。これにより、前方からの音声をより聴き取り易くなる。
【００２３】
本発明の補聴器付き眼鏡においては、伝達部が、本体部に接続されたコードと、該コードの先端に取り付けられ耳に装着されるイヤホンとからなり、テンプル部には、通孔部が設けられており、コードが通孔部に挿通されている場合、イヤホンをスムーズに耳に装着することができる。
また、テンプル部が伝達部を支持することになるので、伝達部の耳からの落下を防止できる。
【００２４】
本発明の補聴器付き眼鏡においては、補聴器がテンプル部の内側に取り付けられているので、伝達部が、骨伝導部からなる場合、使用者の頭部に接触させやすい。
【００２５】
本発明の補聴器付き眼鏡においては、ヒンジ部が、フロント部の両側に取り付けられた固定基部と、該固定基部に回動可能となるように取り付けられた弾性基部とからなり、テンプル部が、弾性基部の一部を内挿可能な中空部を有する場合、弾性基部に対し、テンプル部を自由に着脱することができる。
【００２６】
本発明の補聴器付き眼鏡においては、弾性基部には、上下一対の外突起部が設けられており、テンプル部には、弾性基部が中空部に内挿された状態で外突起部を掛止可能な上下一対の掛止部が設けられている場合、テンプル部の装着時に、弾性基部に設けられた外突起部を、テンプル部に設けられた掛止部に掛止させることにより、取り付けたテンプル部が外れにくく且つ周方向への回転ずれを防止することができる。なお、外突起部を上下一対の構成とし、該外突起部を掛止可能な掛止部を上下一対の構成とすることで、取り付けたテンプルがより外れにくく且つ周方向への回転ずれを確実に防止することができる。
【００２７】
本発明の補聴器付き眼鏡においては、固定基部が側面視でＵ字状の線材である場合、前方からの音声がマイク部に到達する際、固定基部が障害にならないので、前方の音声をよりクリアに拾うことができる。
また、弾性基部が側面視でＵ字状の線材であり、固定基部と弾性基部とが上下２カ所で枢着されている場合、軽量化が図れ、デザイン性にも優れるものとなる。
また、本体部２１に設けたマイク部２３が斜め上方を向いていることにより、会話中に自分の声を受信しにくくなり相手方の声がより明確に聞き易くなる。
【図面の簡単な説明】
【００２８】
【図１】図１は、第１実施形態に係る補聴器付き眼鏡を示す斜視図である。
【図２】図２の（ａ）は、第１実施形態に係る補聴器付き眼鏡の補聴器を示す上面図であり、図２の（ｂ）は、その側面図である。
【図３】図３の（ａ）は、第１実施形態に係る眼鏡のヒンジ部を示す上面図であり、図３の（ｂ）は、その側面図である。
【図４】図４の（ａ）は、第１実施形態に係る眼鏡のテンプル部を示す上面図であり、図４の（ｂ）は、その側面図である。
【図５】図５の（ａ）及び図５の（ｂ）は、第１実施形態に係る眼鏡においてヒンジ部の弾性基部を、テンプル部に取り付ける方法を説明するための部分斜視図である。
【図６】図６の（ａ）及び図６の（ｂ）は、第１実施形態に係る補聴器付き眼鏡において補聴器をテンプル部に取り付ける方法を説明するための上面図である。
【図７】図７は、第１実施形態に係る補聴器付き眼鏡において補聴器をテンプル部に取り付けた状態を示す側面図である。
【図８】図８は、第２実施形態に係る補聴器付き眼鏡を示す斜視図である。
【図９】図９の（ａ）は、第２実施形態に係る補聴器付き眼鏡の補聴器を示す上面図であり、図９の（ｂ）は、その側面図である。
【図１０】図１０は、補聴器の取り付け方が異なる実施形態の補聴器付き眼鏡の一部を示し、図１０の（ａ）は斜視図であり、図１０の（ｂ）はＡ−Ａ断面図である。
【図１１】図１１は、補聴器の取り付け方が異なる他の実施形態の補聴器付き眼鏡の一部を示し、図１１の（ａ）は斜視図であり、図１１の（ｂ）はＢ−Ｂ断面図である。
【図１２】図１２は、補聴器の取り付け方が異なる他の実施形態の補聴器付き眼鏡の一部を示し、図１２の（ａ）は斜視図であり、図１２の（ｂ）はＣ−Ｃ断面図である。
【図１３】図１３は、ヒンジ部が板材である場合における実施形態の補聴器付き眼鏡の斜視図を示す。
【図１４】図１４は、ヒンジ部が回動可能になってなく、高弾性を有するものである例を示す。
【図１５】図１５は、補聴器において、本体部に設けたマイク部が斜め上方を向いている例を示す。
【図１６】図１６の（ａ）〜図１６の（ｆ）は、他の実施形態に係る補聴器付き眼鏡のテンプル部の例を示す側面図である。
【図１７】図１７の（ａ）は、他の実施形態に係る補聴器付き眼鏡の補聴器を示す上面図であり、図１７の（ｂ）は、その側面図である。
【発明を実施するための形態】
【００２９】
以下、必要に応じて図面を参照しつつ、本発明の好適な実施形態について詳細に説明する。なお、図面中、同一要素には同一符号を付すこととし、重複する説明は省略する。また、図面の寸法比率は図示の比率に限られるものではない。
【００３０】
（第１実施形態）
図１は、第１実施形態に係る補聴器付き眼鏡を示す斜視図である。
図１に示すように、第１実施形態に係る補聴器付き眼鏡１００は、眼鏡１０に、補聴器２０が、取り付けられている。より具体的には、マイク部が補聴器２０の前側に位置するように、補聴器２０の引掛部が、眼鏡１０のテンプル部の内側の壁に掛合されている。なお、これらの詳細については後述する。
【００３１】
第１実施形態に係る補聴器付き眼鏡１００においては、補聴器２０のマイク部が補聴器２０の前側に配置されているので、聴きたい音の方向に顔を向けることにより前方の音声を効率良く拾うことができ、且つ、補聴器２０がテンプル部の内側に掛合されているので横からの雑音を遮ることができる。すなわち、いわゆる遮眼革機構となっているので、音声をより良く聴くことができる。なお、従来の耳掛け式の補聴器は、マイク部が後方に配置され、音を拾い難い。
また、補聴器２０がテンプル部の内側に取り付けられているので、横方向からの雑音を排除することができると共に、補聴器２０を目立ち難くすることができる。
さらに、マイク部が物理的に前側に配置されるので、伝達部から一定距離離れることになり、ハウリングが起こり難くなる利点もある。
【００３２】
図２の（ａ）は、第１実施形態に係る補聴器付き眼鏡の補聴器を示す上面図であり、図２の（ｂ）は、その側面図である。
図２の（ａ）及び図２の（ｂ）に示すように、補聴器２０は、マイク部２３と、該マイク部２３を支持する本体部２１と、該本体部２１に取り付けられたＬ字状の引掛部２５と、マイク部２３に拾われた音声を伝える伝達部２４とからなる。
また、伝達部２４は、本体部２１に接続されたコード２４ａと、該コード２４ａの先端に取り付けられ耳に装着されるイヤホン２４ｂとからなる。
【００３３】
補聴器２０においては、マイク部２３が本体部２１の伝達部２４とは反対側の端に内蔵されている。これにより、伝達部２４のイヤホン２４ｂが耳に装着されることから、マイク部２３が前方を向くように眼鏡１０に取り付けることが可能となる。
【００３４】
補聴器２０において、本体部２１の側面には、上面視でＬ字状の引掛部２５が取り付けられている。
そして、かかる引掛部２５を、後述するテンプル部の壁に引掛けることにより、補聴器２０が容易に着脱できるようになる。なお、引掛部２５は、本体部２１と一体となっていてもよく、別途、本体部２１に接着等の固定手段により取り付けてもよい。なお、補聴器２０の着脱については後述する。
【００３５】
図１に戻り、眼鏡１０は、左右一対のレンズＬを有するフロント部５と、該フロント部５の両側に取り付けられた回動可能なヒンジ部６と、該ヒンジ部６に取り付けられたテンプル部７と、からなる。このため、仮に、補聴器２０を取り付けない場合は、通常の眼鏡として用いることができる。
【００３６】
フロント部５は、左右一対のレンズＬと、両レンズＬに架橋されたブリッジ部１と、該ブリッジ部１に連結されたノーズパッド部２とからなる。
ここで、ブリッジ部１は、水平方向に走る２本の線材からなる。このため、後述する線材からなるヒンジ部６と合わせて、外観の統一性が生じ、デザイン性に優れ、且つ軽いものとなっている。
【００３７】
ヒンジ部６は、フロント部５の両側のレンズＬにそれぞれ取り付けられている。
図３の（ａ）は、第１実施形態に係る眼鏡のヒンジ部を示す上面図であり、図３の（ｂ）は、その側面図である。
図３の（ａ）及び図３の（ｂ）に示すように、ヒンジ部６は、フロント部５の両側に取り付けられた固定基部１１と、固定基部１１に回動可能となるように取り付けられた弾性基部１２とからなる。
尚、固定基部１１と弾性基部１２とが一体となって高弾性を有するものでもよいが、これについては後で述べる。
【００３８】
固定基部１１は、上面視でＬ字状に屈曲した形状となっており、前端部１１ａがレンズＬに固定されている。
そして、固定基部１１の後部１１ｂには、弾性基部１２が水平方向に回動可能となるように、弾性基部１２の前端部１２ａが枢着されている。
【００３９】
固定基部１１及び弾性基部１２は、共に側面視でＵ字状の線材からなっている。このため、補聴器付き眼鏡１００においては、固定基部１１が障害にならないので、前方或いは斜め前の音がマイク部２３に到達し易い。その結果、音声をよりクリアに拾うことができる。
また、軽量且つシンプルであり、上述したブリッジ部１の形状とも相俟ってデザイン性により優れるものとなっている。
さらに、テンプル部７に無理な捻れ力が加わっても、固定基部１１と弾性基部１２とで、それを吸収し、直接、レンズＬへ伝わるのを阻止することができる。
【００４０】
固定基部１１と弾性基部１２とは、上下２カ所で枢着されている。これにより、固定基部１１と弾性基部１２とが外れ難くなり、弾性基部１２の回動も極めて安定する。なお、テンプル部７に捻れ力が加わった場合であっても、固定基部１１に対する弾性基部１２の回動が安定して行われる。なお、テンプル部７が幅広のものであっても適用が可能である。
【００４１】
眼鏡１０において、弾性基部１２には、その中程に上下一対の外突起部１２ｂが設けられている。
かかる外突起部１２ｂは、線材の一部が上下方向に緩やかなＲ状に湾曲した形状となっている。
ここで、弾性基部１２は、弾性を有するので、外突起部１２ｂを矢印Ａのように上下方向から力を加えることにより中央側に移動し、力を開放することにより元の位置に戻るようになっている。
【００４２】
ヒンジ部６の外側には板状の遮音壁部１３が設けられている。より具体的には、眼鏡１０の側面であり、且つ、線材からなる固定基部１１の外側に取り付けられている。
補聴器付き眼鏡１００においては、ヒンジ部６の外側に遮音壁部１３が設けられているので、横方向から直接入る雑音をより排除することができる。これにより、前方からの音声をより聴き取り易くなる。
【００４３】
図４の（ａ）は、第１実施形態に係る眼鏡のテンプル部を示す上面図であり、図４の（ｂ）は、その側面図である。
図４の（ａ）及び図４の（ｂ）に示すように、テンプル部７は、前側に弾性基部１２の一部を内挿可能な中空部１５ａと、弾性基部１２が中空部１５ａに内挿された状態で上下一対の外突起部１２ｂを掛止可能な上下一対の掛止部１５ｂと、を有する。
ここで、掛止部１５ｂは、中空部１５ａから上方向又は下方向に貫通した孔からなっている。
【００４４】
また、テンプル部７の前側の内側（顔の側面に当接される側）の壁には、上述した補聴器２０の引掛部２５を掛合するための切欠部１６が設けられており、一方、テンプル部７の中腹には、薄肉部１８が設けられている。
ここで、切欠部１６は、テンプル部７の前側の内側に設けられているので、中空部１５ａに通じる空隙となっている。
また、薄肉部１８には、水平方向（テンプル部７の外側から内側方向）に貫通可能な通孔部１８ａが設けられている。なお、かかる通孔部１８ａには、上述した補聴器２０の伝達部２４のコード２４ａを挿通することができる。
補聴器付き眼鏡１００においては、切欠部１６、薄肉部１８及び通孔部１８ａが設けられているので、テンプル部７をより軽量とすることができる。
【００４５】
図５の（ａ）及び図５の（ｂ）は、第１実施形態に係る眼鏡においてヒンジ部の弾性基部を、テンプル部に取り付ける方法を説明するための部分斜視図である。
図５の（ａ）及び図５の（ｂ）に示すように、ヒンジ部６の弾性基部１２を、テンプル部７の中空部１５ａに挿入する。そうすると、上下一対の外突起部１２ｂがテンプル部７の壁に当接される。
このとき、上述したように、弾性基部１２は、弾性を有し、且つ、外突起部１２ｂは、緩やかなＲ状に湾曲した形状となっているので、弾性基部１２を中空部１５ａに挿入する力を僅かに強めることにより、テンプル部７の壁が弾性基部１２の線材に沿って滑り込み、外突起部１２ｂが中央側に移動され、その形態を維持したまま、弾性基部１２が挿入されることになる。
【００４６】
そして、外突起部１２ｂが、掛止部１５ｂに到達すると、掛止部１５ｂにおいて外突起部１２ｂが元の位置に戻り、弾性基部１２がテンプル部７に掛止されることになる。
これにより、テンプル部７がヒンジ部６に固定される。なお、テンプル部７を取り外す場合は、逆の操作を行えばよい。すなわち、テンプル部７を引く力を僅かに強めることにより、弾性基部１２の外突起部１２ｂが中央側に移動され、その形態を維持したまま、弾性基部１２が引き抜かれる。
また、爪で掛止部１５ｂである孔に突出している外突起部１２ｂを押し込むことにより、引き抜きも楽に行える利点もある。
【００４７】
このように、第１実施形態に係る補聴器付き眼鏡１００においては、テンプル部７の装着時に、弾性基部１２に設けられた上下一対の外突起部１２ｂを、テンプル部７に設けられた上下一対の掛止部１５ｂに掛止させるので、取り付けたテンプルが外れにくく且つ周方向への回転ずれを防止することができる。
また、テンプル部７の中空部１５ａに対して、ヒンジ部６の弾性基部１２を挿入する場合は、単に押し込む操作、すなわち、直線運動のみで、テンプル部７をヒンジ部６に簡単に装着することができる。同様に、テンプル部７を取り外す場合も、上述したように、ヒンジ部６の弾性基部１２を引き抜く操作である直線運動のみで、テンプル部７をヒンジ部６から取り外すことができる。このため、テンプルを極めて容易に着脱することができる。
【００４８】
眼鏡１０は、フロント部５と、ヒンジ部６と、テンプル部７とを備えるだけなので、部品点数が少なく、製造も容易である。
また、眼鏡１０においては、弾性基部１２の一部をテンプル部７の中空部に内挿させることによりテンプル部が装着され、弾性基部１２の一部をテンプル部７の中空部から引き出すことによりテンプル部が取り外されるようになっているので、テンプル部７を容易に着脱することが可能である。
【００４９】
図６の（ａ）及び図６の（ｂ）は、第１実施形態に係る補聴器付き眼鏡において補聴器をテンプル部に取り付ける方法を説明するための上面図であり、図７は、第１実施形態に係る補聴器付き眼鏡において補聴器をテンプル部に取り付けた状態を示す側面図である。
図６の（ａ）に示すように、補聴器付き眼鏡１００においては、補聴器２０に設けられた引掛部２５を、矢印Ｂに示すように、内側からテンプル部７の切欠部１６に挿入し、引掛部２５がテンプル部７の中空部１５ａに位置するようにする。そして、引掛部２５を移動させ、切欠部１６後方の壁１６ａに引っ掛けることにより、図６の（ｂ）に示すように、補聴器２０が掛合され取り付けられる。
【００５０】
このとき、図７に示すように、ヒンジ部６の弾性基部１２は、側面視でＵ字状であり、中央部が空間なので、補聴器２０の引掛部２５の中空部１５ａへの侵入を妨げない。すなわち、中空部１５ａにおいて、上下に弾性基部１２が配置され、中央に引掛部２５が配置されるので、互いに邪魔にならない。
【００５１】
このように、第１実施形態に係る補聴器付き眼鏡１００においては、補聴器２０の引掛部２５を、テンプル部７の内側の壁の切欠部１６に容易に掛合できるので、補聴器２０の着脱が極めて容易となる。
【００５２】
補聴器付き眼鏡１００においては、補聴器２０の後部に伝達部２４のコード２４ａが通孔部１８ａを挿通するように取り付けられる。これにより、イヤホン２４ｂをスムーズに耳に装着することが可能となる。
また、テンプル部７が伝達部２４のコード２４ａを支持することになるので、イヤホン２４ｂの耳からの落下を防止できる。
【００５３】
（第２実施形態）
図８は、第２実施形態に係る補聴器付き眼鏡を示す斜視図である。
図８に示すように、第２実施形態に係る補聴器付き眼鏡１０１は、眼鏡１０に、補聴器３０が、取り付けられている。すなわち、第２実施形態に係る補聴器付き眼鏡１０１は、補聴器３０が異なること以外は、第１実施形態に係る補聴器付き眼鏡１００と同じである。
【００５４】
第２実施形態に係る補聴器付き眼鏡１０１において、補聴器３０は、第１実施形態に係る補聴器付き眼鏡１００と同様に、マイク部が補聴器３０の前側に位置するように、補聴器３０の引掛部が、眼鏡１０のテンプル部の内側の壁に掛合される。
【００５５】
第２実施形態に係る補聴器付き眼鏡１０１においては、補聴器３０のマイク部が補聴器３０の前側に配置されているので、聴きたい音の方向に顔を向けることにより前方の音声を効率良く拾うことができ、且つ、補聴器３０がテンプル部の内側に掛合されているので横からの雑音を遮ることができる。
また、補聴器３０がテンプル部の内側に取り付けられているので、横方向からの雑音を排除することができると共に、補聴器３０を目立ち難くすることができる。
さらに、マイク部が物理的に前側に配置されるので、伝達部から一定距離離れることになり、ハウリングが起こり難くなる利点もある。
【００５６】
図９の（ａ）は、第２実施形態に係る補聴器付き眼鏡の補聴器を示す上面図であり、図９の（ｂ）は、その側面図である。
図９の（ａ）及び図９の（ｂ）に示すように、補聴器３０は、マイク部３３と、該マイク部３３を支持する本体部３１と、該本体部３１に取り付けられたＬ字状の引掛部３５と、マイク部３３に拾われた音声を伝える伝達部３４とからなる。
また、伝達部３４は、使用者の頭部（例えば、頬骨）に接触させる骨伝導部３４ａからなる。なお、骨伝導部３４ａは、本体部３１と一体となっている。
【００５７】
補聴器３０においては、マイク部３３が本体部３１の伝達部３４とは反対側の端に内蔵されている。これにより、骨伝導部３４ａが頬骨に装着されることから、マイク部３３が前方を向くように眼鏡１０に取り付けることが可能となる。
【００５８】
補聴器３０において、本体部３１の側面には、上面視でＬ字状の引掛部３５が取り付けられている。
そして、かかる引掛部３５を、上述したテンプル部７の壁に引掛けることにより、補聴器３０が容易に着脱できるようになる。なお、引掛部３５は、本体部３１と一体となっていてもよく、別途、本体部３１に接着等の固定手段により取り付けてもよい。
【００５９】
第２実施形態に係る補聴器付き眼鏡１０１において、補聴器３０は、第１実施形態に係る補聴器付き眼鏡１００の場合と同様に、テンプル部７に取り付けられる。
第２実施形態に係る補聴器付き眼鏡１０１においては、補聴器３０の引掛部３５を、テンプル部７の内側の壁の切欠部に容易に掛合できるので、補聴器３０の着脱が極めて容易となる。
【００６０】
以上の実施形態の他に更なる実施形態を述べる。
図１０は、補聴器２０の取り付け方が異なる実施形態の補聴器付き眼鏡の一部を示し、図１０の（ａ）は斜視図であり、図１０の（ｂ）はＡ−Ａ断面図である。
補聴器２０の本体部２１に、テンプル部７を挿入することにより装着したものである。
テンプル部の先から挿入して固定する。
【００６１】
図１１は、補聴器２０の取り付け方が異なる他の実施形態の補聴器付き眼鏡の一部を示し、図１１の（ａ）は斜視図であり、図１１の（ｂ）はＢ−Ｂ断面図である。
補聴器２０の本体部２１を、テンプル部７に掛止めして取り付けたものである。
本体部２１を上方から押し下げるようにしてテンプル部７に掛止めする。
この場合、本体部２１はテンプル部７に圧入されて確実に固定される。
【００６２】
図１２は、補聴器２０の取り付け方が異なる他の実施形態の補聴器付き眼鏡の一部を示し、図１２の（ａ）は斜視図であり、図１２の（ｂ）はＣ−Ｃ断面図である。
補聴器２０の本体部２１を、テンプル部７に対して横方向から押し付け掛止めして取り付けたものである。
この場合も、本体部２１はテンプル部７に圧入されて確実に固定される。
【００６３】
図１３は、ヒンジ部７が板材である場合における実施形態の補聴器付き眼鏡の斜視図を示す。
ヒンジ部７が板材のものであり、前述した図１における線材のヒンジ部７（固定基部１１と弾性基部１２）とは異なるものの例である。
上記図１１の場合と同様に、上方から押し下げるようにしてテンプル部７に掛止めする。
【００６４】
図１４は、ヒンジ部６が回動可能になってなく、高弾性を有するものである例を示す。
すなわち、図３に示す固定基部１１と弾性基部１２とが一体となっている場合であり、その一体となった部分のヒンジ部６は高弾性を有する。
従ってヒンジ部７に取り付けられたテンプル部はこのヒンジ部を介して角度を変えることができる。
【００６５】
図１５は、補聴器において、本体部２１に設けたマイク部２３が斜め上方を向いている例を示す。
すなわちマイク部が角度θだけ上方を指向している。
マイク部２３が斜め上方を向いていることにより、会話中に自分の声を受信し難くなり、相手方の声がより聞き易くなる利点がある。
【００６６】
以上、本発明の実施形態について説明したが、本発明は上記実施形態に限定されるものではない。
【００６７】
本実施形態（第１実施形態及び第２実施形態）に係る補聴器付き眼鏡において、補聴器は、本体部と、該本体部に取り付けられたＬ字状の引掛部と、本体部に内蔵されたマイク部と、該マイク部に拾われた音声を伝える伝達部とからなっているが、この構造に限定されない。
例えば、マイク部が、本体部に内蔵されたタイプではなく、本体部の端（イヤホンとは反対側）に取り付けられたものであってもよい。
【００６８】
本実施形態に係る補聴器付き眼鏡において、フロント部５は、左右一対のレンズＬと、両レンズＬに架橋されたブリッジ部１と、該ブリッジ部１に連結されたノーズパッド部２とからなっているが、この構成に限定されない。
例えば、レンズＬが枠体に取り付けられていてもよい。この場合、枠体がブリッジ部の働きをすることになる。また、固定基部１１は、前端部１１ａが枠体に固定されることになる。
【００６９】
本実施形態に係る補聴器付き眼鏡において、ブリッジ部１は、水平方向に走る２本の線材からなっているが、この形状に限定されない。
【００７０】
本実施形態に係る補聴器付き眼鏡において、固定基部１１は、上面視でＬ字状に屈曲した形状となっているが、この形状に限定されない。
また、固定基部１１及び弾性基部１２は、共に側面視でＵ字状の線材からなっているが、この形状に限定されない。
【００７１】
本実施形態に係る補聴器付き眼鏡において、ヒンジ部６の外側には板状の遮音壁部１３が設けられているが、必ずしも設ける必要はない。
【００７２】
本実施形態に係る補聴器付き眼鏡においては、上下一対の外突起部１２ｂ、及び、上下一対の掛止部１５ｂが設けられているが、必ずしも設ける必要はない。
また、１つの外突起部が１箇所の掛止部に掛止可能となっていてもよい。
【００７３】
本実施形態に係る補聴器付き眼鏡において、テンプル部７の形状は特に限定されない。すなわち、中空部を有し且つ補聴器の引掛部が掛合可能なテンプル部であれば、所望のデザイン性やフィッティング性を有するテンプル部に適宜変更することが可能である。これにより、眼鏡のデザイン性や掛け心地を向上させることができる。
因みに、補聴器を用いない場合は、補聴器の引掛部が掛合可能なテンプル部とする必要はない。
【００７４】
図１６の（ａ）〜図１６の（ｆ）は、他の実施形態に係る補聴器付き眼鏡のテンプル部の例を示す側面図である。
図１６の（ａ）〜図１６の（ｆ）に示すように、テンプル部は、あらゆる装飾を施すことができ、形状も様々に変形することができる。すなわち、所望のデザイン性やフィッティング性を備えたテンプル部を、所望のタイミングで着脱することができる。
【００７５】
第１実施形態に係る補聴器付き眼鏡１００においては、補聴器２０の後部に伝達部２４のコード２４ａが通孔部１８ａを挿通するように取り付けられているが、伝達部２４のコード２４ａを、通孔部１８ａを通さないで、直接耳に装着することも当然可能である。その場合、薄肉部１８及び通孔部１８ａは、不必要となる。なお、第２実施形態に係る補聴器付き眼鏡１０１においては、通孔部１８ａは、そもそも不必要である。
【００７６】
第２実施形態に係る補聴器付き眼鏡１０１において、補聴器３０の骨伝導部３４ａの形状は、特に限定されない。
例えば、図１７の（ａ）及び図１７の（ｂ）に示すように、骨伝導部３４ｂが円状であってもよい。
【産業上の利用可能性】
【００７７】
本発明は、補聴器を眼鏡に容易に着脱することができる補聴器付き眼鏡として利用できる。本発明によれば、補聴器のマイク部が前方の音声を拾い易く、且つ、補聴器のハウリングが起こりにくい。
【符号の説明】
【００７８】
１・・・ブリッジ部
２・・・ノーズパッド部
５・・・フロント部
６・・・ヒンジ部
７・・・テンプル部
１０・・・眼鏡
１１・・・固定基部
１１ａ，１２ａ・・・前端部
１１ｂ・・・後部
１２・・・弾性基部
１２ｂ・・・外突起部
１３・・・遮音壁部
１５ａ・・・中空部
１５ｂ・・・掛止部
１６・・・切欠部
１６ａ・・・壁
１８・・・薄肉部
１８ａ・・・通孔部
２０，３０，３０ａ・・・補聴器
２１，３１・・・本体部
２３，３３・・・マイク部
２４，３４・・・伝達部
２４ａ・・・コード
２４ｂ・・・イヤホン
２５，３５・・・引掛部
３４ａ，３４ｂ・・・骨伝導部
１００，１０１・・・補聴器付き眼鏡
Ｌ・・・レンズ
【図１】
2014059544.tif 000003
【図２】
2014059544.tif 000004
【図３】
2014059544.tif 000005
【図４】
2014059544.tif 000006
【図５】
2014059544.tif 000007
【図６】
2014059544.tif 000008
【図７】
2014059544.tif 000009
【図８】
2014059544.tif 000010
【図９】
2014059544.tif 000011
【図１０】
2014059544.tif 000012
【図１１】
2014059544.tif 000013
【図１２】
2014059544.tif 000014
【図１３】
2014059544.tif 000015
【図１４】
2014059544.tif 000016
【図１５】
2014059544.tif 000017
【図１６】
2014059544.tif 000018
【図１７】
2014059544.tif 000019